(57)【要約】【課題】部品点数の削減、コストダウン、画像形成装置の省スペース化、小型化、および制御の容易化を図りつつ、タンデムに配置された各像担持体の膜減り量を略同一にする。【解決手段】各色の帯電ブラシ３Ｙｄ,３Ｍｄ,３Ｃｄ,３Ｋｄのうち、ブラック（Ｋ）を除くイエロー（Ｙ）、マゼンタ（Ｍ）、シアン（Ｃ）の３色の帯電ブラシ３Ｙｄ,３Ｍｄ,３Ｃｄには、各色共通の共通ＤＣ電源１１と共通スイッチ１２とが設けられる。ブラック（Ｋ）の帯電ブラシ３Ｋｄには、ブラック（Ｋ）の専用ＤＣ電源１３と専用スイッチ１４とが設けられる。共通スイッチ１２をオン・オフ制御することで、３色の各帯電ローラ３Ｙａ,３Ｍａ,３Ｃａがそれぞれ同時に各像担持体２Ｙ,２Ｍ,２Ｃを負帯電し、また、専用スイッチ１４をオン・オフ制御することで、ブラック（Ｋ）の帯電ローラ３Ｋａが像担持体２Ｋを負帯電する。【選択図】    図１
2008145849.tif 000002
【特許請求の範囲】
【請求項１】
タンデムに配置されかつ複数色毎に応じてそれぞれ静電潜像が形成される複数の像担持体と、前記複数の像担持体毎に設けられてこれらの複数の像担持体をそれぞれ帯電する複数の帯電装置と、前記複数の像担持体毎に設けられてこれらの像担持体に静電潜像をそれぞれ書き込む書込装置と、前記複数の像担持体毎に設けられてこれらの像担持体上の静電潜像をそれぞれ現像して前記像担持体上に現像剤像をそれぞれ形成する複数の現像装置と、前記複数の像担持体毎に設けられてこれらの像担持体上の現像剤像をそれぞれ転写する複数の転写装置とを少なくとも備え、
前記複数の帯電装置が、いずれも、対応する像担持体の表面に当接してこの表面を帯電する第１帯電部材と、前記第１帯電部材より前記対応する像担持体の回転方向下流で当接し、前記対応する像担持体の表面を帯電する第２帯電部材とを備えており、
前記複数の帯電装置のうち、少なくとも２以上の帯電装置の第１帯電部材にそれぞれ電圧を印加する電源が１つの共通の電源であることを特徴とする画像形成装置。
【請求項２】
前記複数の帯電装置のそれぞれの第１帯電部材は、いずれも、デッキブラシ、帯電ローラおよび帯電ブラシローラのいずれか１つからなることを特徴とする請求項１記載の画像形成装置。
【発明の詳細な説明】
【技術分野】
【０００１】
本発明は、電子写真、静電複写機、プリンタ、ファクシミリ等の画像形成装置であって、タンデム型のフルカラーの画像形成装置において、各色のプロセスユニットが接触二重帯電（Ｗ帯電）を行う帯電装置を備える画像形成装置の技術分野に関する。
【背景技術】
【０００２】
静電複写機、プリンタ、ファクシミリ等の電子写真装置からなる従来の画像形成装置においては、像担持体である感光体の表面が接触帯電装置によって一様に帯電された後に、露光装置によって感光体の表面に静電潜像が形成される。そして、この静電潜像が現像装置よってトナー像に現像されるとともに、中間転写体を介するかまたは直接に、転写装置によって紙等の転写材に転写される。最後に、転写材上のトナー像が定着器によって定着されることで、画像が形成される。
【０００３】
従来の画像形成装置として、回転する感光体の表面を一様にかつ良好に帯電するために、２つの接触帯電部材をそれぞれ感光体に当接させて帯電を行う帯電装置を備える画像形成装置が知られている（例えば、特許文献１を参照）。この画像形成装置の帯電装置では、感光体回転方向上流側の第１帯電部材で感光体の表面を帯電した際の帯電ムラを、感光体回転方向下流側の第２帯電部材で取り除くことで、感光体を一様に帯電している。
【０００４】
また、従来、電子写真方式の複数色またはフルカラーの画像形成装置として、各色毎に応じて感光体をタンデムに配置し、各感光体上に形成された各色のトナー像を中間転写媒体あるいは転写材上に順次重ね合わせてカラー画像を形成する、いわゆるタンデム型の画像形成装置が提案されている（例えば、特許文献２等参照）。
【特許文献１】特開２００５−２１５３２１号公報
【特許文献２】特開２００１−３２４８５０号公報。
【発明の開示】
【発明が解決しようとする課題】
【０００５】
ところで、前述の特許文献１に開示の像担持体のＷ帯電を特許文献２に開示の複数色またはフルカラーの画像形成装置の帯電に適用することが考えられる。しかし、特許文献２に開示の画像形成装置では、電源がそれぞれ各色毎に独立して配置されているため、部品点数の増大、コストアップ、画像形成装置の大型化、および制御の複雑化等の諸問題を有している。
【０００６】
また、接触帯電では、帯電部材の接触および第１帯電部材に絶対値で比較的高い電圧を印加するため、画像形成装置の長期使用により像担持体の感光層の膜減りが生じる。このとき、フルカラーの画像形成装置では、各色の像担持体の感光層の膜減りが異なってしまう。このため、長期的に安定した各色の像担持体の帯電を行うことが難しい。
【０００７】
本発明は、このような事情に鑑みてなされたものであって、その目的は、部品点数の削減、コストダウン、画像形成装置の省スペース化、小型化、および制御の容易化を図りつつ、タンデムに配置された各像担持体の膜減り量を略同一にすることのできる画像形成装置を提供することである。
【課題を解決するための手段】
【０００８】
前述の課題を解決するために、請求項１の発明の画像形成装置は、第１帯電部材と第２帯電部材とにより、複数のカラーの像担持体の感光層が２重接触帯電される。そして、複数色の各帯電装置のうち、２以上の帯電装置をそれぞれ印加する電源を１つ共通に設けている。これにより、部品点数（例えば、トランス２個分およびそれらの配線等）を削減できるとともに、帯電制御が容易になる。したがって、画像形成装置の低コスト化を図ることができるとともに、画像形成装置の省スペース化、小型化および制御の容易化を図ることができる。
【０００９】
また、１つの電源を２以上の帯電装置の各第１帯電部材に共通に設けることで、各第１帯電部材に常時同じ直流電圧を同時に印加することができる。したがって、２以上の像担持体を常に同時に帯電しているので、各像担持体の感光層の膜減りを略同一にすることができる。これにより、長期にわたって各像担持体の感光層の電圧特性を同じにできるので、長期的に安定した良好な帯電を行うことができる。その結果、高画質の画像を長期的に安定して得ることができる。
【発明を実施するための最良の形態】
【００１０】
以下、図面を用いて本発明を実施するための最良の形態について説明する。
図１は、本発明にかかる画像形成装置の実施の形態の一例を模式的にかつ部分的に示す図である。
【００１１】
図１に示すように、この例の画像形成装置１は、イエロー（Ｙ）、マゼンタ（Ｍ）、シアン（Ｃ）、およびブラック（Ｋ）からなるフルカラーのタンデム型の画像形成装置として形成されている。この画像形成装置１は、それぞれ各色毎に、静電潜像およびトナー像が形成される、例えば感光体ドラムからなる像担持体２Ｙ,２Ｍ,２Ｃ,２Ｋと、これらの像担持体２Ｙ,２Ｍ,２Ｃ,２Ｋの周囲にそれぞれ像担持体２Ｙ,２Ｍ,２Ｃ,２Ｋの回転方向α上流側から、順次、配設された、各像担持体２Ｙ,２Ｍ,２Ｃ,２Ｋを帯電する帯電装置３Ｙ,３Ｍ,３Ｃ,３Ｋ、各像担持体２Ｙ,２Ｍ,２Ｃ,２Ｋに静電潜像を書き込む像書込装置４Ｙ,４Ｍ,４Ｃ,４Ｋ、各像担持体２Ｙ,２Ｍ,２Ｃ,２Ｋ上の静電潜像を各色の現像剤であるトナーで現像してトナー像を形成する現像装置５Ｙ,５Ｍ,５Ｃ,５Ｋ、各像担持体２Ｙ,２Ｍ,２Ｃ,２Ｋ上のトナー像を一次転写する一次転写装置６Ｙ,６Ｍ,６Ｃ,６Ｋ、および各像担持体２Ｙ,２Ｍ,２Ｃ,２Ｋをクリーニングするクリーニング装置７Ｙ,７Ｍ,７Ｃ,７Ｋとを備えている。
イエロー（Ｙ）、マゼンタ（Ｍ）、シアン（Ｃ）、およびブラック（Ｋ）の配置順序は図１に示す例に限定されることはなく、任意である。以下の説明では、各色の配置順序は図１に示す例の配置順とする。
【００１２】
各像担持体２Ｙ,２Ｍ,２Ｃ,２Ｋ、各帯電装置３Ｙ,３Ｍ,３Ｃ,３Ｋ、各像書込装置４Ｙ,４Ｍ,４Ｃ,４Ｋ、各現像装置５Ｙ,５Ｍ,５Ｃ,５Ｋ、一次転写装置６Ｙ,６Ｍ,６Ｃ,６Ｋ、およびクリーニング装置７Ｙ,７Ｍ,７Ｃ,７Ｋの各構成は、それぞれいずれも各色Ｙ,Ｍ,Ｃ,Ｋに関して同一に構成されている。
【００１３】
図２は、各色で同一に構成される各装置を説明する図である。なお、図２においては、各色のＹ,Ｍ,Ｃ,Ｋの符号をとって説明する。
図２に示すように、像担持体２の表層は所定膜厚の感光層２ａに形成されている。後述するように、この帯電装置３によって帯電された感光層２ａの表面に、像書込装置４によって静電潜像が書き込まれる。
【００１４】
また、帯電装置３は像担持体２の感光層２ａに対して帯電を行う、第２帯電部材である帯電ローラ（ＣＲ）３ａと、帯電ローラ３ａより回転方向αの上流側で同じく像担持体２の感光層２ａに対して帯電を行う、第１帯電部材である帯電ブラシ（ＣＢ）３ｄとを備えている。帯電ローラ３ａは像担持体２の感光層２ａの表面に当接されているとともに、像担持体２の回転方向αと逆方向β（図１において、反時計回り）に回転される。
【００１５】
帯電ローラ３ａは従来から用いられている公知の帯電ローラを用いることができる。すなわち、帯電ローラ３ａは、例えば特開平１０−４８９１６号公報に記載されている製造方法で製造することができる。すなわち、帯電ローラ３ａは、例えばステンレス製の金属シャフト３ｂの上に、表装部が表面傾斜抵抗層となっている、例えば導電性ゴム等の円筒状の導電性エラストマ層３ｃが設けられて構成されている。この導電性エラストマ層３ｃは、軸方向に沿って一定の外径でかつほぼ一定の電気抵抗に設定されている。
【００１６】
導電性エラストマ層３ｃを有する帯電ローラ３ａの一例として、エピクロルヒドリンゴム（エピクロマーＣＧ−１０２；ダイソー社製）１００重量部に対して、導電材としてトリフルオロ酢酸ナトリウム０.３重量部、酸化亜鉛（ＺｎＯ）５重量部、加硫剤として２−メルカプトイミダゾリン（アクセル−２２）２重量部をロールミキサで混練りし、直径６ｍｍの金属製シャフトの表面にプレス成形し、直径１２ｍｍに研磨加工してシャフト表面に導電性ゴム弾性部材が形成されたローラを得ることができる。
【００１７】
また、帯電ブラシ３ｄはデッキブラシからなり、多数のブラシ毛を有するとともに図示しないブラシ支持部材に支持されている。そして、多数のブラシ毛の先端が像担持体２の外周面に当接されている。帯電ブラシ３ｄも従来から用いられている公知の帯電ブラシを用いることができる。帯電ブラシ３ｄの例として、表１に示す。
【００１８】
【表１】
2008145849.tif 000003
【００１９】
表１に示すように、一例としてのブラシ１のブラシ毛は、材料が６ナイロン、繊度が２２０Ｔ／９６Ｆ、密度２４０ｋｆ／ｉｎｃｈ2、原糸抵抗が７.１ＬｏｇΩ、パイル長が５ｍｍ、である。また、ブラシ１の全体形状として、長さ（像担持体２の軸方向に沿う）が３００ｍｍ、幅が５ｍｍ、高さが５ｍｍである。このブラシ１は、東英産業株式会社製のブラシである。
【００２０】
そして、この例の画像形成装置１では、像担持体２は、まず帯電ブラシ３ｄで一様に帯電され（一次帯電）、次いで帯電ローラ３ａで一様に帯電される（二次帯電）。
すなわち、例えば直流電圧による像担持体２の負帯電の場合には、図３に示すように、まず帯電ブラシ３ｄと像担持体１との間の放電開始電圧−Ｖｔｈ1（Ｖ）の絶対値より絶対値が高い負の電圧−Ｖａ1（Ｖ）が帯電ブラシ３ｄに印加される。これにより、帯電ブラシ３ｄで像担持体２の感光層２ａが一次帯電電位（例、−８００Ｖ）に負帯電される（一次帯電）。一方、帯電ローラ３ａと像担持体１との間の放電開始電圧−Ｖｔｈ2（Ｖ）の絶対値より絶対値が低い負の電圧−Ｖａ2（Ｖ）または正の電圧＋Ｖａ2（Ｖ）の電圧Ｖａ2（Ｖ）が帯電ローラ３ａに印加される。これにより、感光層２ａの一次帯電電位が帯電ローラ３ａで均されて像担持体２の感光層２ａが一様に帯電される（二次帯電）。このように、この例の画像形成装置１では、帯電ブラシ３ｄと帯電ローラ３ａとによる像担持体２の二重接触帯電（Ｗ帯電）が行われる。その結果、像担持体２の感光層２ａの表面が、像書込を行うために予め設定された像書込用電位（例、−６００Ｖ）に一様に帯電される。
【００２１】
ところで、この例の画像形成装置１では、前述のように各色の帯電ローラ３Ｙａ,３Ｍａ,３Ｃａ,３Ｋａおよび各色の帯電ブラシ３Ｙｄ,３Ｍｄ,３Ｃｄ,３Ｋｄには帯電電圧として直流（ＤＣ）電圧が印加されるようになっている。その場合、図１に示すように各色の帯電ローラ３Ｙａ,３Ｍａ,３Ｃａ,３Ｋａには、それぞれ独立した個別ＤＣ電源９Ｙ,９Ｍ,９Ｃ,９Ｋと独立した個別スイッチ１０Ｙ,１０,１０,１０Ｋとが設けられている。そして、図１に示す例では、個別スイッチ１０Ｙ,１０,１０,１０Ｋをそれぞれ独立してオン・オフ制御することで、各帯電ローラ３Ｙａ,３Ｍａ,３Ｃａ,３Ｋａがそれぞれ各像担持体２Ｙ,２Ｍ,２Ｃ,２Ｋを負帯電するようになっている。
【００２２】
また、各色の帯電ブラシ３Ｙｄ,３Ｍｄ,３Ｃｄ,３Ｋｄのうち、ブラック（Ｋ）を除くイエロー（Ｙ）、マゼンタ（Ｍ）、シアン（Ｃ）の３色の帯電ブラシ３Ｙｄ,３Ｍｄ,３Ｃｄには、各色に共通した１つの共通ＤＣ電源１１と各色に共通した１つの共通スイッチ１２とが設けられている。更に、ブラック（Ｋ）の帯電ブラシ３Ｋｄには、ブラック（Ｋ）の１つの専用ＤＣ電源１３とブラック（Ｋ）の１つの専用スイッチ１４とが設けられている。そして、図１に示す例では、共通スイッチ１２をオン・オフ制御することで、３色の各帯電ローラ３Ｙａ,３Ｍａ,３Ｃａがそれぞれ同時に対応する各像担持体２Ｙ,２Ｍ,２Ｃを負帯電し、また、専用スイッチ１４をオン・オフ制御することで、ブラック（Ｋ）の帯電ローラ３Ｋａが像担持体２Ｋを負帯電するようになっている。
【００２３】
像書込装置４は、帯電装置３で帯電された像担持体２に例えばレーザ光等により静電潜像を書き込む。また、現像装置５は、現像ローラ５ａ、トナー供給ローラ５ｂおよびトナー層厚規制部材５ｃを有している。現像ローラ５ａの両端部には、現像ころ５ｄ（図２には、現像ローラ５ａは１個のみ図示）が設けられている。これらの現像ころ５ｄは、現像ローラ・像担持体軸間距離規制部材を構成している。すなわち、これらの現像ころ５ｄが像担持体２の外周面に当接することで、現像ローラ５ａの軸中心と像担持体２の軸中心との間の距離が規制される。これにより、現像ローラ５ａの外周面と像担持体２の外周面との間に所定の現像ギャップが設定されている。
【００２４】
そして、トナー供給ローラ５ｂによって現像ローラ５ａ上に現像剤であるトナー（不図示）が供給されるとともに、この現像ローラ５ａ上のトナーがトナー層厚規制部材５ｃによりその厚みを規制されて像担持体２の方へ搬送され、搬送されたトナーで像担持体２上の静電潜像が非接触ジャンピング現像されて像担持体２上にトナー像が形成される。
【００２５】
一次転写装置６は一次転写ローラ６ａを有し、この一次転写ローラ６ａにより像担持体２上のトナー像が、例えば中間転写ベルトからなる中間転写媒体８に転写される。
クリーニング装置７は、ゴム等の弾性材からなるクリーニングブレード７ａを有している。このクリーニングブレード７ａは図示しないブレード支持部材を介して装置本体に取り付けられている。そして、クリーニングブレード７ａは像担持体２の外周面に常時圧接されている。このクリーニングブレード７ａにより像担持体２がクリーニングされて、像担持体２上の転写残りトナーが除去されて図示しないトナー回収部に回収される。
【００２６】
更に、この例の画像形成装置１は、図示しないが中間転写媒体８に転写されたトナー像を紙等の転写材に二次転写する公知の二次転写装置、および転写材に二次転写されたトナー像を加熱・加圧定着する公知の定着装置を少なくとも備えている。
【００２７】
次に、この例の画像形成装置１の画像形成動作について図１を用いて説明する。その場合、各色毎に設けられる構成部材には、それぞれ対応する色Ｙ,Ｍ,Ｃ,Ｋの符号をその構成部材の符号に付して説明する。
【００２８】
図１において、共通スイッチ１１がオンされてイエロー（Ｙ）、マゼンタ（Ｍ）、シアン（Ｃ）の各像担持体２Ｙ,２Ｍ,２Ｃの各感光層が各帯電ブラシ３Ｙｄ,３Ｍｄ,３Ｃｄで一次帯電される。次に、イエロー（Ｙ）のスイッチ１０Ｙがオンされ、像担持体２Ｙが帯電ローラ３Ｙａで二次帯電されて像担持体２Ｙの感光層が像書込用電位にされる。次いで像書込装置４Ｙによって像担持体２Ｙ上に静電潜像が書き込まれた後、この静電潜像が現像装置５Ｙにおいてその現像ローラ５Ｙａによって搬送されるイエロートナーで現像される。こうして、像担持体２Ｙ上にイエロー（Ｙ）のトナー像が形成される。
【００２９】
他の色Ｍ,Ｃ,Ｋについても同様にして、所定の時間遅れを持って各色のスイッチ１０Ｍ,１０Ｃがオンされ、各像担持体２Ｍ,２Ｃがそれぞれ各帯電ローラ３Ｍａ,３Ｃａで二次帯電されて各像担持体２Ｍ,２Ｃの感光層がそれぞれ像書込用電位にされる。更に、ブラック（Ｋ）の専用スイッチ１４がオンされて像担持体２Ｋの感光層が帯電ブラシ３Ｋｄで一次帯電された後、ブラック（Ｋ）のスイッチ１０Ｋがオンされ、像担持体２Ｋが帯電ローラ３Ｋａで二次帯電されて像担持体２Ｍの感光層が像書込用電位にされる。そして、イエロー（Ｙ）の場合と同様にして、各像書込装置４Ｍ,４Ｃ,４Ｋによってそれぞれ各像担持体２Ｍ,２Ｃ,２Ｋ上に静電潜像が書き込まれる。その後、これらの静電潜像が各現像装置５Ｍ,５Ｃ,５Ｋにおいてそれらの現像ローラ５Ｍａ,５Ｃａ,５Ｋａによって搬送される各色のトナーでそれぞれ現像される。こうして、順次各像担持体２Ｍ,２Ｃ,２Ｋ上にそれぞれ対応する色のトナー像が形成される。
【００３０】
像担持体２Ｙ上のイエロー（Ｙ）のトナー像は、一次転写装置６Ｙで中間転写媒体８上に一次転写されるとともに、中間転写媒体８上のイエロー（Ｙ）のトナー像は、マゼンタ（Ｍ）の一次転写装置６Ｍの方へ搬送される。そして、像担持体２Ｍ上のマゼンタ（Ｍ）のトナー像が一次転写装置６Ｍで中間転写媒体８上の所定位置に、イエロー（Ｙ）のトナー像と色重ねされて一次転写される。更に、イエロー（Ｙ）とマゼンタ（Ｍ）の色重ねされた中間転写媒体８上のトナー像は、シアン（Ｃ）の一次転写装置６Ｃの方へ搬送される。そして、像担持体２Ｃ上のシアン（Ｃ）のトナー像が一次転写装置６Ｃで中間転写媒体８上の所定位置に、イエロー（Ｙ）およびマゼンタ（Ｍ）のトナー像と色重ねされて一次転写される。更に、イエロー（Ｙ）、マゼンタ（Ｍ）およびシアン（Ｃ）の色重ねされた中間転写媒体８上のトナー像は、ブラック（Ｋ）の一次転写装置６Ｋの方へ搬送される。そして、像担持体２Ｋ上のブラック（Ｋ）のトナー像が一次転写装置６Ｃで中間転写媒体８上の所定位置に、イエロー（Ｙ）、マゼンタ（Ｍ）およびシアン（Ｃ）のトナー像と色重ねされて一次転写される。こうして、中間転写媒体８上にフルカラーのトナー像が形成される。
【００３１】
更に、中間転写媒体８上のフルカラーのトナー像は、従来公知のタンデム型の画像形成装置と同様に二次転写装置によって紙等の転写材に二次転写されるとともに、転写材上のフルカラーのトナー像は定着装置によって加熱・加圧定着される。こうして、フルカラーの画像が転写材に形成される。
【００３２】
このように、この例の画像形成装置１によれば、Ｙ色、Ｍ色、およびＣ色のカラー３色の帯電装置３Ｙ,３Ｍ,３Ｃにおける帯電ブラシ３Ｙｄ,３Ｍｄ,３ＣｄのＤＣ電源１１を１つ共通に設けるとともに、各帯電ローラ３Ｙａ,３Ｍａ,３Ｃａの各ＤＣ電源９Ｙ,９Ｍ,９Ｃをこれらの帯電ローラ３Ｙａ,３Ｍａ,３Ｃａ毎に独立して設けている。これにより、部品点数を削減することができるとともに、帯電制御を容易にすることができる。したがって、画像形成装置１の低コスト化を図ることができるとともに、画像形成装置の省スペース化、小型化および制御の容易化を図ることができる。
【００３３】
また、３色のカラー（Ｙ,Ｍ,Ｃ）について同時に各帯電ブラシ３Ｙｄ,３Ｍｄ,３Ｃｄに同じ帯電電圧−Ｖａ1（Ｖ）を印加することができる。したがって、３色の像担持体２Ｙ,２Ｍ,２Ｃをそれぞれ各帯電ブラシ３Ｙｄ,３Ｍｄ,３Ｃｄで常に同時に帯電しているので、各像担持体２Ｙ,２Ｍ,２Ｃの感光層の膜減りを略同一にすることができる。これにより、長期にわたって各像担持体２Ｙ,２Ｍ,２Ｃの感光層の電圧特性（例えば、印加電圧に対する像担持体の感光層の表面電位特性等）を同じにできるので、長期的に安定した良好な帯電を行うことができる。その結果、高画質の画像を長期的に安定して得ることができる。
【００３４】
なお、前述の例の画像形成装置１では、本発明を、画像形成時に帯電装置３によって像担持体２を負帯電する画像形成装置に適用している。しかし、本発明はこれに限定されることはなく、画像形成時に帯電装置３によって像担持体２を正帯電する画像形成装置に適用することもできる。そして、この像担持体２の正帯電でも、本発明の前述の効果を得ることができる。
【００３５】
また、前述の例の画像形成装置１では、第１帯電部材に帯電ブラシ３ｄが用いられ、また、第２帯電部材に帯電ローラ３ａが用いられている。しかし、本発明は、図４（ａ）に示すように第１帯電部材にも、帯電ローラ３ａ′（金属シャフト３ｂ′，導電性エラストマ層３ｃ′）を用いることができる。この場合、第２帯電部材には同じく帯電ローラ３ａが用いられる。また、図４（ｂ）に示すように第１帯電部材に、帯電ローラブラシ３ａ′（金属シャフト３ｂ′，帯電ブラシ３ｄ′）を用いることができる。この場合、第２帯電部材には同じく帯電ローラ３ａが用いられる。
【００３６】
更に、前述の各例の画像形成装置１では、本発明を、像担持体２からトナー像が一次転写されかつ転写されたトナー像を紙等の転写材に二次転写させる中間転写ベルト８を用いた画像形成装置に適用している。しかし、本発明の画像形成装置は、これに限定されることはなく、像担持体２のトナー像を紙等の転写材に直接転写する画像形成装置にも適用することができる。
更に、本発明の画像形成装置は４色のフルカラーの画像形成装置に限定されることなく、３色あるいは２色等の複数色の画像形成装置にも適用することができる。
【図面の簡単な説明】
【００３７】
【図１】本発明にかかる画像形成装置の実施の形態の一例を模式的にかつ部分的に示す図である。
【図２】図１に示す画像形成装置の各色で同一に構成される各装置を説明する図である。
【図３】第１および第２帯電部材への電圧印加を説明する図である。
【図４】（ａ）および（ｂ）は、本発明にかかる帯電装置の実施の形態の他の例を示す図である。
【符号の説明】
【００３８】
１…画像形成装置、２…像担持体、３…帯電装置、３ａ…帯電ローラ（第２帯電部材）、３ｄ…帯電ブラシ（第１帯電部材）、１１…共通ＤＣ電源、１３…専用ＤＣ電源
【図１】
2008145849.tif 000004
【図２】
2008145849.tif 000005
【図３】
2008145849.tif 000006
【図４】
2008145849.tif 000007